(57)【特許請求の範囲】
【請求項１】
一括してロックとロック解除が可能なキャスターが枠体の底部に設けられ、
被介護者がトイレに座った状態で、被介護者の胴体部を前方から固定する湾曲押え部が枠体の前部に設けられ、
前記枠体の適所に前記キャスターのロックとロック解除の操作部が設けられ、
前記キャスターのロックによって被介護者をトイレ使用状態に固定し、キャスターのロック解除によって使用者及び枠体を移動可能にする
ことを特徴するトイレ用の介護用補助装置。
【請求項２】
前記操作部は、前記湾曲押え部とは遮蔽板で隔てられた被介護者が操作できない箇所に設けたことを特徴とする請求項１に記載のトイレ用の介護用補助装置。
【請求項３】
前記湾曲押え部は、胴部が十分に収納できる半円の空間部が構成されてることを特徴とする請求項１又は２に記載のトイレ用の介護用補助装置。
【請求項４】
前記枠体は、前面と左右面に被介護者を覆うように遮蔽板で囲ったことを特徴とする請求項１又は２又は３に記載のトイレ用の介護用補助装置。
【請求項５】
前記枠体は、前記遮蔽板の床に近い適所には被介護者の足部が外部から確認できるような透視孔を設けたことを特徴とする請求項４に記載のトイレ用の介護用補助装置。
【発明の詳細な説明】
【技術分野】
【０００１】
本発明は、主に、病院や介護施設等で被介護者が使用するトイレ用の介護用補助装置に関するものである。
【背景技術】
【０００２】
従来より、病人や高齢者等のトイレ使用は転倒等の事故が生じやすく、そのため、特許文献１に開示されているように、被介護者が車椅子から着座したまま便器まで移動する介護用トイレシステムが提案されている。しかし、この介護用トイレシステムは便器の近傍に大がかりなキャリー椅子を設備しなければならず、また、広いスペースが必要であるという問題点があった。
また、病院や介護施設等で病人や高齢者等の被介護者のトイレ使用時での事故は、歩行器や車椅子でトイレに移動後のトイレ使用時の前後で転倒することがあり、特に、被介護者のトイレ使用後の立ち上がり動作での転倒事故が起きることが多く報告されている。
ところで、病院等に設置する床頭台の４個のキャスターを一括してロック及びロック解除する操作機構は、本発明者によって、特許文献２等で提案されている。
【先行技術文献】
【特許文献】
【０００３】
【特許文献１】特開２０１１−２３９９２０号公報
【特許文献２】特開２０１０−８８４９０号公報
【発明の概要】
【発明が解決しようとする課題】
【０００４】
本発明の課題は、上述した問題点に鑑みてなされたもので、被介護者がトイレ使用時、及び、被介護者が介護者が介護しない状態で不用意に立ち上がらないようにして転倒事故を防ぎ、介護者が介護するまでは被介護者をトイレ便器の便座に固定するようにするトイレ用の介護用補助装置を提供しようとするものである。
【課題を解決するための手段】
【０００５】
上記課題を解決するために、請求項１の発明は、介護用補助装置は、一括してロックとロック解除が可能なキャスターが枠体の底部に設けられ、被介護者がトイレの便座に座った状態で、被介護者の胴体部を前方から固定する湾曲押え部が枠体の前部に設けられ、前記枠体の適所に前記キャスターのロックとロック解除の操作部が設けられ、前記キャスターのロックによって被介護者をトイレ使用状態に固定し、キャスターのロック解除によって使用者及び枠体を移動可能にすることを特徴するトイレ用の介護用補助装置である。
請求項２の発明は、請求項１に記載のトイレ用の介護用補助装置において、前記操作部は、前記湾曲押え部とは遮蔽板で隔てられた被介護者が操作できない箇所に設けたことを特徴とする。
請求項３の発明は、請求項１又は２に記載のトイレ用の介護用補助装置において、前記湾曲押え部は、胴部が十分に収納できる半円の空間部が構成されてることを特徴とする。
請求項４の発明は、請求項１又は２又は３に記載のトイレ用の介護用補助装置において、前記枠体は、前面と左右面に被介護者を覆うように遮蔽板で囲ったことを特徴とする。
請求項５の発明は、請求項４に記載のトイレ用の介護用補助装置において、前記枠体は、前記遮蔽板の床に近い適所には被介護者の足部が外部から確認できるような透視孔を設けたことを特徴とする。
【発明の効果】
【０００６】
本発明のトイレ用の介護用補助装置によれば、被介護者をトイレ便器の便座に無理のない姿勢で固定し、被介護者がトイレ使用時、及び、被介護者が介護者が介護しない状態で不用意に立ち上がらないようにして転倒事故を防ぐことができる。したがって、患者の症状により、トイレに看護師が付き添いでいかなくてはならない場合に、介護用補助装置を使用し、トイレが終わっ段階で看護師や介護者がトイレに行き、介護用補助装置を移動して介護者を病室等に移す。したがって、この被介護者がトイレを使用している間は、看護師や介護者はトイレ介護以外の他の作業をすることができる。
また、一括してロックとロック解除が可能なキャスター及び操作部を採用したので、被介護者がトイレ使用が終了した場合は、直ちに介護者によって本介護用補助装置を移動可能することができる。前記操作部は被介護者が簡単に操作できない遮蔽板を介して外部に配置したので、誤作動する心配がない。
【０００７】
また、トイレを使用している被介護者の周りを遮蔽板で覆ったので、被介護者のプライバシーを守ることができ、遮蔽板の床に近い適所には被介護者の足部が外部から確認できるような透視孔を設けたので、透視孔から被介護者の足の状態を外部から確認でき、被介護者の安全を確保することができる。
従来は、被介護者や患者は勝手にベッドに戻ろうとして、トイレ内で転倒する事故が度々起こっていたが、本介護用補助装置を使用することによって、これらの事故を防ぐことができる。また、これらの防止策として前掲の特許文献１に開示されいるような介護用トイレシテムの採用も考えられるが、病院や介護施設のトイレを改装することは広いスペースや多額の費用と日数がかかり、設置が困難であったが、本介護用補助装置を配備するだで、上述した防止策に対処できる。
【図面の簡単な説明】
【０００８】
【図１】本発明の実施例のトイレ用の介護用補助装置を介護者が使用している状態の外観斜視図、
【図２】図１の状態の上面図
【図３】図２のトイレ用の介護用補助装置を使用していない状態の上面図、
【図４】図３の介護者からみて手前からの正面図、
【図５】図３の背面上方からの外観斜視図、
【図６】図３の介護者からみて外側からの背面図、
【図７】図３の右側側面図、
【図８】図３の底部の裏面の平面図である。
【発明を実施するための形態】
【０００９】
本発明の介護用補助装置は、トイレの近傍に配置して、被介護者がトイレを使用する場合に使用するもので、被介護者がトイレ使用時、及び、被介護者が介護者が介護しない状態で不用意に立ち上がらないようにして転倒事故を防ぐもので、また、被介護者がトイレを使用している間は、看護師等の介護者はトイレ介護以外の他の作業をすることができるが、本発明のトイレ用の介護用補助装置の実施例の詳細を図面に沿って説明する。
【実施例】
【００１０】
図１、図２は被介護者Ａがトイレを使用している状態の示す図、図３乃至図８は被介護者Ａが使用していない状態の介護用補助装置２だけの図である。
図１は被介護者Ａが、トイレ用の介護用補助装置２を使用し、便器１の便座１１に座った状態の後ろからの斜視図、図２はその上面図である。
本実施例の介護用補助装置２は、図１、２、３、５の示すように、被介護者Ａを前側から囲うように横断面コ字状の枠体３が設けられ、枠体３はこれらの図に示すように底部３１上に立設され、底部３１の底は、図１及び図８に示すように、被介護者Ａの手前が空間の概略Ｕ字型で被介護者Ａが便器１に座り足部Ａ１が床に置いた状態のままでも、介護用補助装置２が便器１側に接近できるよう構成され、底部３１の底面には、４隅にキャスター４が設けられている。
これらのキャスター４は、背面側の左右端に一対のキャスター４が、左右の突出腕部３１１の先端に一対のキャスター４の合計４個が設けられている。また、図１、図３に示すように、前面遮蔽板３２の外側の棚部３６には１対の操作部５は配備され、この操作部５のハンドル５１内側のレバー５２をどちらか１方、或いは同時に両方を挙げることによって、キャスター４のロックが解除され移動可能になる。
【００１１】
枠体３の上面には、図３に示すように、前面遮蔽板３２、右側面遮蔽板３３、左側面遮蔽板３４が垂直方向に設けられ横断面コ字状を呈している。この遮蔽板３２,３３,３４の中間の高さ位置には被介護者Ａの為のテーブル３５が水平に設けられている。前面遮蔽板３２の外側には細幅の棚部３６が設けられ、この棚部３６には一対のキャスター４の操作部５が左右に設けられている。枠体３の上面の３枚の遮蔽板３２,３３,３４の高さは、被介護者Ａを隠すように背が高くトイレの外部から遮蔽され、トイレを使用している被介護者Ａのプライバシーを保護する役目を兼ねている。これらの遮蔽板３２,３３,３４の材質はカーテンも考えられるが、本実施例のようにプライバシーを保護する観点から簡単には開かないような木材、合成樹脂、金属等で固定する構成が好ましい。
【００１２】
ただし、前面遮蔽板３２と底部３１との接合部には、図５等に示すように、大きな透視孔６が設けられ、透視孔６から被介護者Ａの足Ａ１の状態を外部から確認でき、被介護者Ａの安全を確保することができる。この透視孔６は被介護者Ａの安全が確認できるのであれば、右側面遮蔽板３３、左側面遮蔽板３４の下方に設けてもよい。
また、前面遮蔽板３２とテーブル３５との間には、隙間６１が設けられ上方から足部Ａ１の爪先等が確認できる空間が形成され、前記透視孔６と同様の機能を有している。
【００１３】
図５，図６に示すように、棚部３６上には操作部５は逆Ｕ字状のハンドル５１が設けられるが、ハンドル５１の内側にはレバー５２が設けられ、介護者がレバー５２のどちらか一方、或いは両方一緒に、レバー５２を手動で挙げると、キャスター４のロックが解除され移動可能になり、手を離すとレバー５２が下がりキャスター４がロックされ介護用補助装置２が床に固定状態になる。
このように、通常はレバー５２が下がりキャスター４がロックされ介護用補助装置２が固定状態に維持される。このキャスター４の操作機構は、前掲の特許文献１の公知の機構を採用すればよく、レバー５２のどちらか一方、場合によっては両方一緒に操作すると操作が軽くなるので、レバー５２を手動で挙げると、一括して全部のキャスター４が同時にロックが解除され移動可能状態とになり、手を離すと自然にバネ等によりレバー５２が下がりキャスター４がロックされ所定の箇所に固定される。
【００１４】
前記テーブル３５の手前側には、図２、図３に示すように、被介護者Ａが便器１の水槽部１２の手前の便座１１に座った状態で、被介護者Ａの胴体部Ａ２を前方から固定する湾曲押え部７が設けられ、この湾曲押え部７は被介護者Ａの胴体部Ａ２を包含するような形状であればよく、左右側部の突出保持部７１,７２が被介護者Ａの作用を押さえ、被介護者Ａが便器１から脱落するのを防止している。また、その内側の縁を含めてクッション素材が表面に施され被介護者Ａが当たっても怪我等がないようにしている。
また、テーブル３５の下の右側面遮蔽板３３と左側面遮蔽板３４の内側の上方にはフック８３(図４参照)が設けられ、介護者や被介護者Ａの必要収納袋等を掛けることができる。
前面遮蔽板３２のテーブル３５より上方には、ナースコールボタン８１やインターホンとしてのスピーカ及びマイク８２（図１、図４参照）」を配置しても良く、この場合には、被介護者Ａがナースコールボタン８１を押すことにより、有線或いは無線によりナースセンター等に連絡されるようになっており、前面遮蔽板３２の内側にはスピーカ及びマイク８２が設けられいて、看護師や介護者と連絡が取れるとれるようになっている。 
【００１５】
[作動手順]
本実施例は、以上の構成であるが、次に本トイレ用の介護用補助装置の使用の手順を説明する。
被介護者Ａがトイレを使用する場合に、被介護者Ａは介護者を呼び出し、歩行器或いは車椅子まで移動し、介護者の助けを得て便器１の便座１１に座る。
被介護者Ａが便座１１に座った状態を確認すると、足部Ａ１が床に置いた状態を確認して、介護者は介護用補助装置２の操作部５のレバー５２を手動で挙げて、キャスター４のロックを解除して移動可能にし、一方、底部３１の左右の突出腕部３１１の内側に被介護者Ａの足部Ａ１を位置させ、介護用補助装置２を被介護者Ａに接近させるように前進させ、湾曲押え部７の左右の突出保持部７１,７２の間に被介護者Ａの胴部Ａ２或いは腰部の両脇を挟むように前進し、更に被介護者Ａの胴部Ａ２或いは腰部を湾曲押え部７の湾曲底部７３の直前まで前進させて停止する。
【００１６】
この状態で、介護者は介護用補助装置２の操作部５のレバー５２から手を離してキャスター４をロック状態に、介護用補助装置２を床に固定する。
ここで、介護者は付き添ったままでも、その場を離れてもよく、被介護者Ａはトイレを使用を開始する。
被介護者Ａが排便等のトイレの使用が終わり、トイレの使用が終わった時点で、ナースコールボタン８１を押して介護者を呼んで、介護者は介護用補助装置２の操作部５のレバー５２を手動で挙げて介護用補助装置２を移動し便器１から離れ、介護者により被介護者Ａを歩行器や車椅子に移し、病室等に移動する。
【００１７】
以上説明したように、本発明の介護用補助装置２の実施例によれば、被介護者Ａをトイレ便器１の便座１１に、湾曲押え部７の左右の突出保持部７１,７２と、湾曲底部７３の３方、及び便器１の水槽部１２によって、被介護者Ａを無理のない姿勢で固定し、被介護者Ａがトイレ使用時、及び、被介護者Ａが介護者が介護しない状態で不用意に立ち上がらないようにして、転倒事故を防ぐことができる。
したがって、患者の症状により、トイレに看護師が付き添いでいかなくてはならない場合に、介護用補助装置を使用し、トイレが終わった段階で看護師や介護者がトイレに行き、介護用補助装置を移動して被介護者Ａを病室等に移す。したがって、この被介護者Ａがトイレを使用している間は、看護師や介護者はトイレ介護以外の他の作業をすることができる。
【００１８】
また、一括してロックとロック解除が可能なキャスター４及び操作部５を採用したので、介護用補助装置２を直ちに被介護者Ａを固定するように操作でき、被介護者Ａがトイレ使用を終了した場合は、直ちに介護者によって、介護用補助装置２を便器１から離れた場所に移動を可能にすることができる。また、介護用補助装置２を固定した後は、操作部５は被介護者Ａが簡単に操作できない遮蔽板３２を介して外部に配置したので、誤作動する心配がない。
更に、トイレを使用している被介護者Ａの周りを遮蔽板３２,３３,３４で覆ったので、被介護者Ａのプライバシーを守ることができ、遮蔽板３２,３３,３４の床に近い適所には被介護者Ａの足部Ａ１が外部から確認できるような透視孔６を設けたので、透視孔６から被介護者Ａの足部Ａ１の状態を外部から確認でき、被介護者Ａの安全を確保することができる。
【００１９】
従来は、被介護者Ａや患者は勝手にベッドに戻ろうとして、トイレ内で転倒する事故が度々起こっていたが、本介護用補助装置２を使用することによって、これらの事故を防ぐことができる。また、これらの防止策として前掲の特許文献１に開示されているような介護用トイレシテムの採用も考えられるが、病院や介護施設のトイレを改装することは広いスペースや多額の費用と日数がかかり、設置が困難であったが、本介護用補助装置を配備するだけで、上述した防止策に対処できる。
なお、本発明の特徴を損なうものでなければ、上記の各実施例に限定されるものでないことは勿論である。
【符号の説明】
【００２０】
Ａ・・被介護者、Ａ１・・足部、Ａ２・・胴部、
１・・便器、１１・・便座、１２・・水槽部
２・・トイレ用の介護用補助装置
３・・枠体、３１・・底部、３１１・・突出腕部、
３２・・前面遮蔽板、３３・・右側面遮蔽板、
３４・・左側面遮蔽板、３５・・テーブル、３６・・棚部、
４・・キャスター、
５・・操作部、５１・・ハンドル、５２・・レバー
６・・透視孔、６１・・隙間
７・・ 湾曲押え部、７１,７２・・突出保持部、７３・・湾曲底部
８１・・ナースコールボタン、 ８２・・スピーカ及びマイク、
８３・・フック
【図１】
0005752079.tif 000002
【図２】
0005752079.tif 000003
【図３】
0005752079.tif 000004
【図４】
0005752079.tif 000005
【図５】
0005752079.tif 000006
【図６】
0005752079.tif 000007
【図７】
0005752079.tif 000008
【図８】
0005752079.tif 000009